(57)【要約】【課題】開口された袋体に物品を収納すると、袋体を移動するなどで収納された物品が、袋体から飛び出す場合がある。その物品の飛び出し脱落を防止する袋体の抵抗部・ゆるみ部の構造を提供する。【解決手段】袋体の中に仕切りを形成するか、あるいは袋体を凹凸の形状等に形成し、収納した物品を袋体の中に留置き、脱落を防止する袋体内の空間を仕切る抵抗部と、物品を挿し入れると物品の方向を変えるゆとりのある空間を有するゆるみ部を形成することである。その袋体を衣類、バッグ、その他の物品のパーツとする、あるは一体のパーツとして取り付けることである。 【選択図】    図１
2015120538.tif 000002
【特許請求の範囲】
【請求項１】
袋体の中に仕切りを形成するか、あるいは袋体周縁を凹凸の形状等に形成し袋体の中に仕切りを設けて、収納した物品を袋体の中に留置き脱落を防止する、袋体内の空間を仕切る抵抗部と、物品を挿し入れると物品の方向を変えるゆとりのある空間を有するゆるみ部を形成することを特徴とする袋体の抵抗部・ゆるみ部の構造。
【請求項２】
請求項１の袋体を衣類、バッグ、その他の物品のパーツとするか、あるは
一体のパーツとして取り付けることを特徴とする袋体の抵抗部・ゆるみ部の構造。
【発明の詳細な説明】
【技術分野】
【０００１】
本発明は袋体に収納した物品が脱落することを防止するための構造に関するものである。
【背景技術】
【０００２】
従来の袋体に収納した物品が脱落することを防止するための構造として、物品が脱落することを防止するために、袋体の開口部にメンフアスナーやホック、フラップ、袋体の一部分を狭める形状、クリップで止める等の方法がとられている。特許文献１には、シャツ等衣類（１）にポケット（２）を設け、ポケット（２）は水平方向に対して、斜めに傾け、ポケット（２）の上部にある入り口の下を縫製した縫製部（３）を設ける。と記載されており、特許文献２には、ゼリー状固形物食品の袋から押し出す際に熱シール部の内側辺が連続した凹凸形状である固形物の包装袋と記載されており、特許文献３には、伸縮布の小物袋は袋布を封鎖するようにして袋を作り袋の弾力性を利用して、中に物を入れると出し入れ口はまた元の大きさに戻るため、中のものが落ちないと記載されている。
【先行技術文献】
【特許文献】
【０００３】
【特許文献１】特開２０１２−１５８８５８号公報。
【特許文献２】特開２０１２−１４８８１５号公報。
【特許文献３】実用新案登録第３０６００５０号公報。
【発明の概要】
【発明が解決しようとする課題】
【０００４】
従来の袋体に収納されている物品を持ち歩く等の振動や、袋体に外部から圧力等の物品を移動させる力が加わった場合に、物品が脱落することを防止するには、袋体の開口部にメンフアスナーやホック、フラップ、クリップで止める等の方法がとられている。特許文献１は、携帯電話のような方形の物品に対してのみ有効な手段であり、方形の角が円弧状の物品等については物品の落下は防げない。特許文献２は、流動体でゼリー状の固形物の移動を抑制するための凹凸形状で、方形等の形状の物品を抑制するものではなく、方形等の形状の物品の脱落を防止する手段としては物品の脱落は防止できない。特許文献３は、開口部が解放されていて収納物品が弾力性袋体であり、材質が伸縮することにより落下を防止することにあって、片手での出し入れは困難である。本発明は、開口された袋体に物品を収納すると、その物品の飛び出し脱落を防止する袋体の抵抗部ゆるみ部の構造を提供する。
【課題を解決するための手段】
【０００５】
本発明の請求項１は、袋体の中に仕切りを形成するか、あるいは袋体周縁を凹凸の形状等に形成し袋体の中に仕切りを設けて、収納した物品を袋体の中に留置き脱落を防止する、袋体内の空間を仕切る抵抗部と、物品を挿し入れると物品の方向を変えるゆとりのある空間を有するゆるみ部を形成することを特徴とすることである。
【０００６】
本発明の請求項２は、請求項１の袋体を衣類、バッグ、その他の物品のパーツとする、あるは一体のパーツとして取り付けたことである
【発明の効果】
【０００７】
本発明の袋体の抵抗部・ゆるみ部の構造は、袋体に収納されている物品を持ち歩く等で振動や袋体に外部から圧力等の物品を移動させる力が加わった場合、抵抗部２−ａ、２−ｂ、２−ｃ、２−ｄが物品の方向を変えて抵抗部２−ａと２−ｂ間、２−ｃと２−ｄ間、あるいは抵抗部と袋体の側壁部間の狭部に物品が方形であれば、物品の最長幅の対角線が接するので物品を袋体の中に留め置ける。開口部から物品を挿し入れると物品は仕切り部が抵抗部分となりなり抵抗部を通過する際に２−ａ、２−ｃ、袋体の周縁側壁でできる３−ａの空間部にさしかかると抵抗部の抵抗から物品が解放されて、使用者がゆるみ感を感じるとともに物品は２−ｂ、２−ｄ、袋体の周縁側壁でできる３−ｃの空間部に進行方向を変えゆとりのあるゆるみ部分で方向を変えつつ袋体内部の安定した位置に収納される。袋体の周縁側壁部に抵抗部とゆるみ部を配置し厚みの少ない物品を挿入れた場合に袋体の周縁側壁部の抵抗部に物品が接して進入方向を変えつつ袋内に収納され、ゆるみ部が物品の進行方向を変えるゆるみの空間で、物品を収納する空間のゆとりを形成するので、袋体の底部を押し上げるか、または、押し上げられても袋体に収納されている物品は外部に飛び出しにくい。
【図面の簡単な説明】
【０００８】
【図１】本発明の第一の実施例を示す袋体の正面図。
【図２】本発明の第二の実施例を示す袋体の正面図。
【図３】本発明の第三の実施例を示す袋体の正面図。
【図４】本発明の第四の実施例を示す袋体の正面図。
【図５】本発明の第五の実施例を示す袋体の正面図。
【図６】本発明の第六の実施例を示す袋体の正面図。
【図７】本発明の第七の実施例を示す袋体の正面図。
【図８】本発明の第八の実施例を示す袋体の正面図。
【図９】袋布の開口部が水平になった正面図。
【図１０】袋布の開口部が逆さになった正面図。
【図１１】袋布から物品の出し入れする位置を示す正面図。
【図１２】本発明の第八の実施例を衣類に取り付けた正面図。
【図１３】本発明の第四の実施例をバッグに取り付けた正面図。
【発明を実施するための形態】
【０００９】
本発明の袋体１の抵抗部２・ゆるみ部３の構造は布、不織布、紙、プラスチック等のシート状素材で縫合、接着、成形等の手段で、物品の大きさ、重量、材質等に適した袋体１を形成する。本発明は袋体１に収納した物品４が脱落することを防止するための袋体に抵抗部２とゆるみ部３を形成する構造である。袋体１を財布、化粧品、手帳、携帯電話、カメラ、眼鏡等小物収納袋に使用する。その袋体１に持ち手を取り付けポシェット、ポーチ等に使用してもよく、袋体１に取付け部１２を設け、衣類１３バッグ等に取り付ける。または、袋体１を衣類、バッグ等に一体のパーツとして組み入れる。その手段は衣類１３、バッグ１４の外面部に袋体の開口部５を設け、袋体１は衣類１３、バッグ等の内側に形成し、衣類、バッグの外面部の開口部５周縁の一方に、袋体１の一方の面部をポケットの向う布１０と開口部５周縁の他方に袋体の他方の面部をポケットの手前布１１とすることで開口部５を除き縫合、接着等で外周縁を結合し袋体の向う布１０と手前布１１が一対となる袋体１を形成し、その袋体１をポケット袋布として衣類１３、バッグ等の一部に一体として結合して組み入れパーツとする。さらに、ポケットとして使用する場合に衣類バッグの面部と袋体の一方の面部の向う布１０を同一の面部としてアウトポッケ図１３としてもよく、その袋体の向う布と手前布の間の周縁部の間に収納物品の厚み分のマチ布を結合して利便性の良いものとしてもよい。
【００１０】
袋体１の構造は袋体１の外周縁を凹凸の形状にして抵抗部とゆるみ部を形成する。あるいは、袋体１の中に抵抗部とゆるみ部を形成し、抵抗部は物品を挿し入れる人が抵抗を感じる抵抗部２、様々な形状や大きさの異なる物品が進行方向を変えるためのゆとりのある空間のゆるみ部３である。袋体の開口部５から物品４を挿し入れると、物品４は抵抗部２とがゆるみ部３で進入方向、進行方向を変えつつ袋体内部に収納される。収納された物品４は外部から袋体の周縁部を押し上げる等の外圧を加えても、物品４は抵抗部２とゆるみ部３により収納位置を変えて、外部からの物品を移動させる圧力を軽減するので、物品４は袋体１の外部に飛び出しにくい。物品４を収納した袋体１を持ち運ぶ等で振動するなど袋体１に外部からの力、物品の重さなどによって物品４を袋体１の開口部５に向かわせる力が働いていた場合、収納された物品４は抵抗部とゆるみ部が物品の位置、方向を変えて抵抗部と抵抗部間あるいは抵抗部と袋体の周縁側壁間の狭間部に物品が方形であれば、物品の最長幅の対角線が接するので物品４を袋体１の中に留め置ける。物品４は方形以外でも最長幅が仕切りの抵抗部２に接して阻まれるので袋体１の中に留められることは同様である。ゆるみ部３で物品４が方向を変えるゆとりのある解放された空間で、物品４を袋体１の中に留め置く際に袋体の外部から物品に押し上げる等の袋体１の開口部５方向の力が働いてもゆるみ部が開放され空間であるので物品４は位置を変えて、仕切りの抵抗部２で物品の移動を阻み抑制するとともに、物品の保持部となり物品の飛び出し脱落を防止する。
【００１１】
袋体１の中に物品４を留め置く際に仕切りが抵抗部となり物品の一方の側部に２か所接し、物品の他方の側部は、一方の側部の２か所の中間の仕切りの抵抗部に接すると物品４は３か所または、３点の支点で袋体の中に狭持部を形成して物品が保持されさらに脱落しにくい。支点の位置、支点の数は物品の大きさ、物品の材質、重量、形状に適合するように形成し、形成の手段により狭持部は複数となる場合もある。抵抗部の形状は袋体の中に仕切りを形成することで袋の形状以外に線状に縫合、接着等により抵抗部２とゆるみ部３を形成する等抵抗部２とゆるみ部３の形成の手段は、収納する物品袋体のデザイン等により変えられ、本発明は抵抗部２とゆるみ部３により物品の脱落を防ぐことにある。
【００１２】
袋体１の開口部５を衣類１３等に取り付ける。あるいは、ポーチ等に使用する場合に物品４を収納した袋体１の材質が柔軟であり物品が硬質であると袋体を持ち歩くなどで袋体１がゆがみ曲がる。あるいは開口部５の方向が変る図１０。袋体の抵抗部とゆるみ部で物品４はゆるみ部３と抵抗部２により物品の収納位置が変わり物品は脱落しにくい。物品４が袋体１の外に飛び出す等脱落は物品を挿し入れる方向の位置図１１になる場合であり、袋体１に収納されている物品４は使用する人の意志により袋体の開口部５から簡単に取り出せる取り出し位置、図１１でもある。袋体の開口部５は袋体の向う布１０、前布１１の面部や側部に設け、物品４を取り出しやすく利便性、デザイン等袋体の使用目的に適するように形成してもよい。袋体の開口部は物品の脱落を防止するために開口部周縁部にホック、ファスナー７、フラップ等の閉鎖手段を設けてもよい。
【００１３】
図１は本発明の袋体１は布、不織布、プラスチック等のシート状素材で縫合、接着、成型等の手段で、物品の大きさ、重量、材質等に適した袋体１を形成する。袋体１に収納した物品４が脱落することを防止するための構造である。ゆるみ部３−a、３−ｂ、３−cは物品に対してゆとりの空間を形成し、抵抗部２（a、b、c、d）の仕切りを形成し持ち手６、ファスナー７を取り付けた外観で、物品４を収納した実施図である袋体開口部５から物品４を挿しいれると物品４は袋体１の内部の空間を仕切る抵抗部２−a、２−ｂで狭間となっている空間で物品４の進行方向は一定の方向の空間のゆるみ部３a に進み、物品４は抵抗部２c に接し進路を阻まれ、ゆるみ部３−a のゆとりのある空間で進行方向をさらに変えて抵抗部２−ｃ、２−ｂの中間が狭まり抵抗部２−ｃ、２−ｄは物品４を支える支点になり、物品を袋体に留め置く、その物品を袋体の外に押し出す力が働いた場合、物品は抵抗部２−ｃ、２−ｂに支えられてゆるみ部３−ａ、３−ｂで物品は位置を変え袋内にとどまる。さらに押し出す力が働いた場合は抵抗部２−c 、２−d に支えられ物品は進行方向が変えにくくなりゆるみ部３−a、３−ｃにゆとりがあっても抵抗部２−aあるいは、２−b に接して物品は袋体１から飛び出し脱落しにくい。さらに、ファスナー７、一対の凹ホック９、凸ホック１０等脱落をふせぐ手段を取り付けてもよい。袋体１を小物収納袋に使用する。その袋体１に持ち手を取り付けポシェット、ポーチ等に使用してもよい。
【００１４】
図２、図３、図４は袋体の向う布１０と袋体の手前布１１の外周縁部を縫合、接着して袋体１を形成し抵抗部の配置、抵抗部の数、形状を変えても抵抗部とゆるみ部を形成することができるので、物品４は方向を変えて進行し袋体１に収納される。抵抗部の配置、数、形状は収納する物品の形状、重量等により適合する袋体１に形成する。
図５は袋体の向う布１０の面部と袋体の手前布１１の面部を線状に縫合、接着し抵抗部とゆとり部を形成して衣類１３、バッグ等に縫合して結合する。
図６は袋体１に取付け部１２を設け、衣類１３バッグ等に縫合、接着で結合して取り付けるか、あるいは一対の面ファスナー等で衣類１３、バッグ等に取り付ける。
【００１５】
図７は袋体の周縁の側部に開口部５を設け衣類１３、バッグ等に縫合する。あるいは一対の面ファスナーで衣類、バッグ等に取り付ける。また、衣類１３、バッグ等の外側表面を袋体の向う布１０と同一の面として衣類１３、バッグ等に手前布１１の外周を縫合、接着等で結合してポケットを形成する。衣類１３、バッグ等の中側で裏面と袋体の手前布１１を同一の面として衣類１３、バッグ等に袋体の向う布１０の外周を縫合、接着して結合し一体にして衣類１３、バッグ等の一部にパーツとして縫合、接着により結合して取り付ける。衣類１３、バッグ等の外面に開口部５の周縁に凸ホック８、凹ホック９、ファスナー等、あるいはフラップ等の蓋で閉鎖手段を設けもよい。
【００１６】
図８は主に衣類１３、バッグ等の外側の表面を切り開けて袋体１の開口部周縁を縫合し、結合して衣類、バッグの中側にポケット袋布として袋体１を形成して物品４を衣類１３、バッグ１４の外側から袋体１に収納する袋体の図である。袋体１を衣類１３、バッグ等に垂直の縦線、あるいは斜め線に切り開けて、その切開け部に袋体の開口部５の周縁を縫合して結合させポケットの袋布に使用する袋体１に物品４を収納した図である。図９は図８の袋体の開口部５が衣類１３、バッグ等の横線で垂平または傾斜するポケットを設ける。あるいは袋体の開口部５の状況が垂平になった場合収納した物品４は複数のゆとり部３の空間は袋体の収納部分の一部であり袋体内に安定した状態で収納され、仕切りは物品が移動した際に抵抗部２となり物品４の飛び出しを防ぐ。図１０は袋体の開口部５が下方向に向いた場合に物品４は自量で重力方向に落下するが、抵抗部２−aで落下を止め、ゆとりのあるゆるみ部３−aにより物品４は留め置かれる。
【００１７】
図１１は袋体１に物品４を挿しいれる。あるいは物品４を袋体１から取り出せる物品の位置、方向を示す図である。物品の出し入れは袋体に抵抗部２とゆるみ部３があるために物品４の進行方向は抵抗部２とゆるみ部３の形成によって決められる。したがって、袋体１の外から物品４を押し出す力、または袋体の開口部５が下向きとなった場合でも物品４の飛び出し落下を防止する。つまり物品４は挿しいれた向きになった場合に出し入れができる。その状態の場合に飛び出し脱落する。
図１２は図７と図８〜図１１の袋体１の実施図である。衣類のポケット袋布として衣類１３と一体のパーツにして縫合し物品４を衣類の外部から物品を挿しいれる袋体の開口部５を設け開口部の周縁部を衣類１３に縫合した実施図でバッグ等においても同様である。図１３は図４の袋体１の実施図である。袋体１をバッグ１４の外側表面と袋体の向う布１０を同一にしてアウトポケットとしてバッグ１４と一体のパーツとして使用でき、衣類等にも使用できる。本発明はポーチ、衣類、バッグ等に広く応用でき利便性の向上に寄与する。
【産業上の利用可能性】
【００１８】
従来使用されている袋体に広く利用でき、ポーチあるいは衣類等のアウトポケットなどデザインを向上させ、本発明の構造を使用することで物品の脱落を防ぐことができる。
【符号の説明】
【００１９】
１    袋体
２    抵抗部
３    ゆるみ部
４    物品
５    開口部
６    持ち手
７    ファスナー
８    凸ホック
９    凹ホック
１０  袋体の向う布
１１  袋体の手前布
１２  取付け部
１３    衣類
１４    バッグ
【図１】
2015120538.tif 000003
【図２】
2015120538.tif 000004
【図３】
2015120538.tif 000005
【図４】
2015120538.tif 000006
【図５】
2015120538.tif 000007
【図６】
2015120538.tif 000008
【図７】
2015120538.tif 000009
【図８】
2015120538.tif 000010
【図９】
2015120538.tif 000011
【図１０】
2015120538.tif 000012
【図１１】
2015120538.tif 000013
【図１２】
2015120538.tif 000014
【図１３】
2015120538.tif 000015